【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
インクを吐出する記録素子を有する記録ヘッドを用いて、記録媒体に画像の記録を行うインクジェット記録装置であって、
前記記録媒体の両面に記録を行わせるための第１の両面記録モードと、該第１の両面記録モードとは異なる搬送経路で前記記録媒体の両面に記録を行わせるための第２の両面記録モードを実行可能であり、 
前記第１の両面記録モードの単位領域に対する最大インク打ち込み量は、前記第２の両面記録モードの前記単位領域に対する最大インク打ち込み量よりも小であることを特徴とするインクジェット記録装置。
【請求項２】
前記第１の両面記録モードは、前記記録媒体の一方の面に記録を行った後、排紙を行うことなく前記記録媒体の他方の面に記録を行うことを特徴とする請求項１に記載のインクジェット記録装置。
【請求項３】
前記第１の両面記録モードは、前記第２の両面記録モードに比べ、前記単位領域に対する最大インク打ち込み量が小となるように生成された画像データに基づいて記録が行われることを特徴とする請求項１または２に記載のインクジェット記録装置。
【請求項４】
前記第１の両面記録モードは、前記記録媒体の一方の面に記録を行った後、排紙を行うことなく前記記録装置内で記録媒体を自動で反転させ、前記記録媒体の他方の面に記録を行う自動両面記録モードであり、
前記第２の両面記録モードは、前記記録媒体の一方の面に記録を行った後、当該記録が行われた記録媒体を排紙し、その排紙された記録媒体がユーザにより給紙されることで前記記録媒体の他方の面に記録を行うことができる手動両面記録モードであることを特徴とする請求項１乃至３のいずれかに記載のインクジェット記録装置。
【請求項５】
インクを吐出する記録素子を有する記録ヘッドを用いて、記録媒体に画像の記録を行うインクジェット記録方法であって、
前記記録媒体の両面に記録を行わせるための第１の両面記録モードと、該第１の両面記録モードとは異なる搬送経路で記録媒体を搬送することにより前記記録媒体の両面に記録を行わせるための第２の両面記録モードのうち、記録に使用する両面記録モードを選択する工程を有し、 
前記第１の両面記録モードの単位領域に対する最大インク打ち込み量は、前記第２の両面記録モードの前記単位領域に対する最大インク打ち込み量よりも小であることを特徴とするインクジェット記録方法。
【請求項６】
インクを吐出する記録素子を有する記録ヘッドにより記録媒体に画像の記録を行うことが可能なインクジェット記録方法であって、
前記記録媒体に記録を行う際に異なる経路で前記記録媒体を搬送することが可能な複数の記録媒体搬送手段のうち、どの記録媒体搬送手段を適用するかを判断する判断工程と、
前記判断工程で選択された前記記録媒体搬送手段に応じて、記録すべき画像データを、前記記録ヘッドを用いて記録を行うための記録装置で使用される画像データに変換する変換工程と、
前記変換工程において変換された画像データに基づいて前記記録ヘッドにより記録媒体に記録を行う記録工程とを有し、
前記変換工程では、前記選択された記録媒体搬送手段に応じて、記録媒体に対するインク付与量が異なるように前記データの変換を行うことを特徴とするインクジェット記録方法。
【請求項７】
インクを吐出する記録素子を有する記録ヘッドを用いて、記録媒体に画像の記録を行うことが可能なインクジェット記録方法であって、
前記記録媒体の両面に記録を行うことのできる第１の両面記録モードと、該第１の両面記録モードとは異なる搬送経路で前記記録媒体の両面に記録を行うことのできる第２の両面記録モードを含む複数の記録モードのうち、どの記録モードを使用するかを判断する判断工程と、
前記判断工程で選択された記録モードに応じて、記録すべき画像データを、前記記録を行うための記録装置で使用される画像データに変換する変換工程と、
前記変換工程において変換された画像データに基づいて前記記録ヘッドにより記録を行う記録工程とを有し、
前記変換工程では、前記第１の両面記録モードが適用される場合と前記第２の両面記録モードが適用される場合とで、記録媒体に対するインク付与量が異なるように前記データの変換を行うことを特徴とするインクジェット記録方法。
【請求項８】
前記第１の両面記録モードは、前記記録媒体の一方の面に記録を行った後、排紙を行うことなく前記記録装置内で記録媒体を自動で反転させ、前記記録媒体の他方の面に記録を行う自動両面記録モードであり、
前記第２の両面記録モードは、前記記録媒体の一方の面に記録を行った後、当該記録が行われた記録媒体を排紙し、その排紙された記録媒体がユーザにより給紙されることで前記記録媒体の他方の面に記録を行うことができる手動両面記録モードであることを特徴とする請求項７に記載のインクジェット記録方法。
【請求項９】
インクを吐出する記録素子を有する記録ヘッドを用いて記録媒体に画像の記録を行うインクジェット記録システムであって、
記録すべき画像データを、前記記録ヘッドを備えた記録装置で使用される画像データに変換する変換手段と、
前記記録媒体の両面に記録を行わせるための第１の両面記録モードと、該第１の両面記録モードとは異なる搬送経路で前記記録媒体の両面に記録を行わせるための第２の両面記録モードを実行可能な手段とを備え、 
前記変換手段は、前記第１の両面記録モードを適用する場合と前記第２の両面記録モードを適用する場合とで、互いに異なる方法で前記データの変換を行うことを特徴とするインクジェット記録システム。
【請求項１０】
記録媒体の両面に記録ヘッドからインクを吐出して記録を行うことのできる第１の両面記録モードと、該第１の両面記録モードとは異なる搬送経路で前記記録媒体の両面に記録を行うことのできる第２の両面記録モードを実行可能な記録装置で使用される画像データを生成するための画像処理装置であって、
前記記録媒体に記録すべき画像データを前記記録装置で使用される画像データに変換する変換手段を備え、
該変換手段は、前記第１の両面記録モードが適用される場合と前記第２の両面記録モードが適用される場合とで、記録媒体に対するインク付与量が異なるように前記データの変換を行うことを特徴とする画像処理装置。
【請求項１１】
インクを吐出するための記録素子を有する記録ヘッドと、記録媒体の両面に対し記録を行うことのできる第１の両面記録モードおよび該第１の両面記録モードとは異なる搬送経路で前記記録媒体の両面に対し記録を行うことのできる第２の両面記録モードを実行可能な手段と、を具備した記録装置において使用されるデータを生成するためのプログラムであって、
前記第１の両面記録モードと前記第２の両面記録モードを含む複数の記録モードのうち、使用される記録モードを判断する判断工程と、
記録すべき画像データを変換することにより前記記録装置において使用される画像データを生成するにあたり、前記判断工程において前記第１の両面記録モードの使用が判断された場合と前記第２の両面記録モードの使用が判断された場合とで、互いに異なるデューティーで前記記録媒体に画像が記録されるように前記画像データを生成する生成工程と、
をコンピュータに実行させることを特徴とするプログラム。
【手続補正２】
【補正対象書類名】明細書
【補正対象項目名】発明の名称
【補正方法】変更
【補正の内容】
【発明の名称】インクジェット記録装置、インクジェット記録方法、インクジェット記録システムおよび画像処理装置
【手続補正３】
【補正対象書類名】明細書
【補正対象項目名】００１７
【補正方法】変更
【補正の内容】
【００１７】
そのために本発明では、インクを吐出する記録素子を有する記録ヘッドを用いて、記録媒体に画像の記録を行うインクジェット記録装置であって、
前記記録媒体の両面に記録を行わせるための第１の両面記録モードと、該第１の両面記録モードとは異なる搬送経路で前記記録媒体の両面に記録を行わせるための第２の両面記録モードを実行可能であり、 前記第１の両面記録モードの単位領域に対する最大インク打ち込み量は、前記第２の両面記録モードの前記単位領域に対する最大インク打ち込み量よりも小であることを特徴とする。
【手続補正４】
【補正対象書類名】明細書
【補正対象項目名】００１８
【補正方法】変更
【補正の内容】
【００１８】
また、インクを吐出する記録素子を有する記録ヘッドを用いて、記録媒体に画像の記録を行うインクジェット記録方法であって、前記記録媒体の両面に記録を行わせるための第１の両面記録モードと、該第１の両面記録モードとは異なる搬送経路で記録媒体を搬送することにより前記記録媒体の両面に記録を行わせるための第２の両面記録モードのうち、記録に使用する両面記録モードを選択する工程を有し、 前記第１の両面記録モードの単位領域に対する最大インク打ち込み量は、前記第２の両面記録モードの前記単位領域に対する最大インク打ち込み量よりも小であることを特徴とする。また、インクを吐出する記録素子を有する記録ヘッドにより記録媒体に画像の記録を行うことが可能なインクジェット記録方法であって、前記記録媒体に記録を行う際に異なる経路で前記記録媒体を搬送することが可能な複数の記録媒体搬送手段のうち、どの記録媒体搬送手段を適用するかを判断する判断工程と、前記判断工程で選択された前記記録媒体搬送手段に応じて、記録すべき画像データを、前記記録ヘッドを用いて記録を行うための記録装置で使用される画像データに変換する変換工程と、前記変換工程において変換された画像データに基づいて前記記録ヘッドにより記録媒体に記録を行う記録工程とを有し、前記変換工程では、前記選択された記録媒体搬送手段に応じて、記録媒体に対するインク付与量が異なるように前記データの変換を行うことを特徴とする。また、インクを吐出する記録素子を有する記録ヘッドを用いて、記録媒体に画像の記録を行うことが可能なインクジェット記録方法であって、前記記録媒体の両面に記録を行うことのできる第１の両面記録モードと、該第１の両面記録モードとは異なる搬送経路で前記記録媒体の両面に記録を行うことのできる第２の両面記録モードを含む複数の記録モードのうち、どの記録モードを使用するかを判断する判断工程と、前記判断工程で選択された記録モードに応じて、記録すべき画像データを、前記記録を行うための記録装置で使用される画像データに変換する変換工程と、前記変換工程において変換された画像データに基づいて前記記録ヘッドにより記録を行う記録工程とを有し、前記変換工程では、前記第１の両面記録モードが適用される場合と前記第２の両面記録モードが適用される場合とで、記録媒体に対するインク付与量が異なるように前記データの変換を行うことを特徴とする。
【手続補正５】
【補正対象書類名】明細書
【補正対象項目名】００１９
【補正方法】変更
【補正の内容】
【００１９】
また、インクを吐出する記録素子を有する記録ヘッドを用いて記録媒体に画像の記録を行うインクジェット記録システムであって、記録すべき画像データを、前記記録ヘッドを備えた記録装置で使用される画像データに変換する変換手段と、前記記録媒体の両面に記録を行わせるための第１の両面記録モードと、該第１の両面記録モードとは異なる搬送経路で前記記録媒体の両面に記録を行わせるための第２の両面記録モードを実行可能な手段とを備え、前記変換手段は、前記第１の両面記録モードを適用する場合と前記第２の両面記録モードを適用する場合とで、互いに異なる方法で前記データの変換を行うことを特徴とする。
【手続補正６】
【補正対象書類名】明細書
【補正対象項目名】００２０
【補正方法】変更
【補正の内容】
【００２０】
更に、記録媒体の両面に記録ヘッドからインクを吐出して記録を行うことのできる第１の両面記録モードと、該第１の両面記録モードとは異なる搬送経路で前記記録媒体の両面に記録を行うことのできる第２の両面記録モードを実行可能な記録装置で使用される画像データを生成するための画像処理装置であって、前記記録媒体に記録すべき画像データを前記記録装置で使用される画像データに変換する変換手段を備え、該変換手段は、前記第１の両面記録モードが適用される場合と前記第２の両面記録モードが適用される場合とで、記録媒体に対するインク付与量が異なるように前記データの変換を行うことを特徴とする。更にまた、インクを吐出するための記録素子を有する記録ヘッドと、記録媒体の両面に対し記録を行うことのできる第１の両面記録モードおよび該第１の両面記録モードとは異なる搬送経路で前記記録媒体の両面に対し記録を行うことのできる第２の両面記録モードを実行可能な手段と、を具備した記録装置において使用されるデータを生成するためのプログラムであって、前記第１の両面記録モードと前記第２の両面記録モードを含む複数の記録モードのうち、使用される記録モードを判断する判断工程と、記録すべき画像データを変換することにより前記記録装置において使用される画像データを生成するにあたり、前記判断工程において前記第１の両面記録モードの使用が判断された場合と前記第２の両面記録モードの使用が判断された場合とで、互いに異なるデューティーで前記記録媒体に画像が記録されるように前記画像データを生成する生成工程と、をコンピュータに実行させることを特徴とする。